(57)【特許請求の範囲】
【請求項１】
ホルダーをリングの小孔を通して握りに嵌合させ、当該リングを回動自在としてなる本体と、下端にマスター印を有する印受にスティック印を収容させてなる印判部とからなり、前記ホルダーに前記スティック印の頭部が当接するように前記本体と前記印判部を着脱自在に保持させた日付印において、前記リングの内面又は前記印判部の外面の一方に係合溝、他方に係合片を設け、前記リングを回転させることによって係合溝と係合片を係合自在とすると共に、前記リングが回転するとき前記ホルダーがリングとともに回転しないことを特徴とする日付印。
【請求項２】
握りの下端を凹部とし、当該凹部の上端面に回転自在に回転部材を設けてなる本体と、下端にマスター印を有する印受にスティック印を収容させてなる印判部とからなり、前記回転部材に前記スティック印の頭部が当接するように前記本体と前記印判部を着脱自在に保持させた日付印において、前記凹部の内面又は前記印判部の外面の一方に係合溝、他方に係合片を設け、前記印判部を回転させることによって係合溝と係合片を係合自在とすると共に、前記印判部が回転するとき印判部の回転とともに回転部材も回転することを特徴とする日付印。
【発明の詳細な説明】
【０００１】
【産業上の利用分野】
本発明は、西暦、和暦、月、日、曜日、時間等をスティック印とし、差し替え可能とした日付印に関するものである。
【０００２】
【従来の技術】
従来、スティック印判を差し替えることによって日付を変更する日付印は、実公昭４９ー３３５３５が知られている。当該考案はスティック印の柄を持って日付を交換するので、手指を汚さない長所を有するものである。日付を替えるときは、把持蓋を引き抜いた後、差し替え操作を行ない、元通りに握持蓋を圧入嵌着して終了するが、このような嵌着方法は、がたつきを防止するために部品寸法の余裕を少なくしてあるので、引き抜きが困難であったり、長期間の使用によりがたつきが生じてしまう欠点があった。
この欠点を解消する方法として握持蓋と印判部を回転操作によって着脱自在に保持させる方法が考えられる。
しかし、通常スティック印の頭部には印面と周一の文字が印刷されているが、回転操作によってスティック印の頭部が擦れ、印刷文字が消失してしまう新しい欠点が生じてしまった。なぜなら、前記考案は使用時にスティック印ががたつかないようにするために、握持蓋内にスポンジゴム、ウレタンフォーム等の弾性材を収納させて頭部を押圧しなければならないからである。
また、強くねじって嵌合すると、スティック印の頭部が当接しているため、スティック印が斜めにねじれ、スティック印の印面とマスター印の印面が平行にならなくなる欠点もあった。
【０００３】
【発明が解決しようとする課題】
そこで、本発明者は、特に力を必要とせず、簡単な操作で握りと印判部を着脱自在とし、かつ、着脱操作によってもスティック印の頭部が擦れることのない日付印を提供する。
【０００４】
【課題を解決するための手段】
第１の発明として、ホルダーをリングの小孔を通して握りに嵌合させ、当該リングを回動自在としてなる本体と、下端にマスター印を有する印受にスティック印を収容させてなる印判部とからなり、前記ホルダーに前記スティック印の頭部が当接するように前記本体と前記印判部を着脱自在に保持させた日付印において、前記リングの内面又は前記印判部の外面の一方に係合溝、他方に係合片を設け、前記リングを回転させることによって係合溝と係合片を係合自在とすると共に、前記リングが回転するとき前記ホルダーがリングとともに回転しないことを特徴とする日付印。
第２の発明として、握りの下端を凹部とし、当該凹部の上端面に回転自在に回転部材を設けてなる本体と、下端にマスター印を有する印受にスティック印を収容させてなる印判部とからなり、前記回転部材に前記スティック印の頭部が当接するように前記本体と前記印判部を着脱自在に保持させた日付印において、前記凹部の内面又は前記印判部の外面の一方に係合溝、他方に係合片を設け、前記印判部を回転させることによって係合溝と係合片を係合自在とすると共に、前記印判部が回転するとき印判部の回転とともに回転部材も回転することを特徴とする日付印。
【０００５】
【作用】
本願の第１の発明は、年月日などの所用のスティック印を印受に差し込み、又は、差し替えた後、印受の外面に設けた係合片をリングに設けた係合溝に挿入させ、その後リングを回転させることによって、印判部と握りを係合する。このとき、スティック印の頭部はホルダーに当接しているので、リングと共には回転しない。
本願の第２の発明は、年月日などの所用のスティック印を印受に差し込み、又は、差し替えた後、印受の外面に設けた係合片を握り下端の凹部に設けた係止溝に挿入させ、その後印受を回転させることによって、印判部と握りを係合する。このとき、スティック印の頭部は回転部材に当接しているので、印判部の回転と共に回転部材も回転する。
【０００６】
以下、本願の第１の発明を実施例１をもって詳細に説明する。
１は本体であって、握り２とリング３とホルダー９とから構成されている。
握り２は、捺印操作を行なう際、手で握って保持する部材であるので、握り易いよう直径２〜５ｃｍほどの円柱としてある。
リング３は、下端は開放し、上端は面（上端面４）とし、中心に小孔５を設けた形状をしており、内面には係合溝６が設けてある。係合溝６は、下端を開放した状態で下端から上端に向かって縦溝を設置し、縦溝の終点から周方向へ向かって横溝としてある。また、本実施例において、係合溝６は左右対称位置に２箇所設けてあるが、２以上の複数設けても構わない。そのほかに、リング３の上端面４には溝７が設けてあり、小孔５には突起８が設けてある。
ホルダー９は、上部を小筒部１０、下部を筒部１１としたものである。小筒部１０のつけ根にはリブ１２を立設してあり、このリブ１２は前記突起８が２本のリブ間でのみ挙動を許容し、不用意に回転することを防止するストッパーとしてする。すなわち、図８において、基本状態（実線）で印判部を挿入した後、リング３を回転させて突起８をロック状態（破線）の位置に移動させる時は、リブ１２ｂがストッパーとして作用し、ロック状態から基本状態に回転させて時は、リプ１２ａがストッパーとして作用する。本実施例では、握り２に小筒部１０を圧入して嵌合固定するが、その他の嵌合する方法としては、一方にネジ山、他方にネジ溝を設けてネジ嵌合にしてもよいし、接着剤などによって一体化してもよい。また、筒部１１の上面には、嵌合突起１３が左右対称に４本立設してある。これは、前記溝７とそれぞれ嵌合するものであり、基本状態及びロック状態のとき、それぞれ嵌合するように配置してある。これは、基本状態及びロック状態の仮止めの状況を作り出すためのものであって、使用者が基本状態又はロック状態であることを認知することに寄与する。しかし、嵌合突起１３と溝７の高さ及び深さは、０．１ｍｍ〜０．８ｍｍ程度にして、嵌合力は非常に小さいものにしなければならない。なぜなら、高さがありすぎるとリングが回転しにくくなるし、係合溝と係合片との寸法差を大きくしなければならず、印判部のがたつきを生じてしまうからである。また、筒部１１の外面には位置決めのための凸部１４が立設してある。
【０００７】
１５は印判部であって、下端にマスター印１７を有する印受１６に、スティック印２１を収容させて構成されている。
マスター印１７は、例えば「受領」「受付」などの普段は交換しない文字からなる印面を有するものである。これは、連続気泡を有する多孔性ゴムやポリエチレン、非多孔性ゴムと多孔性ゴムを一体化した二層ゴム、非多孔性天然ゴムなどの公知の印材であれば何でもよく、接着剤や熱融着などの方法によって、印受１６と一体化される。印受１６の内部には、スティック印２１を収容するための印判保持部１８を設けてある。印判保持部１８の形状は、ステイック印２１に合わせた形状となっている。また、印受の外面には係合片２０が設けてある。これは、前記係合溝６に挿入し、印判部と本体を係合させる部分である。本実施例では係合片２０は左右に２箇所設けてあるが、２以上設けても構わない。
また、印受１６の側面には前記凸部１４と合致する位置決めのための切込１９が設けてある。
スティック印２１は、年、月、日、時間で構成されており、年月日は差し替えを容易にするため、側面でお互いを連結できるようにしてある。時間は頻繁に交換するので連結していない。また、スティック印２１の側面には抜け止め用の抜止突起２２が形成してあり、スティック印２１を印受１６の印判保持部１８に収容する際、抜止突起２２が印判保持部１８に当たって下方への抜け止めを防止する。スティック印２１の先端に配される印面は、前記マスター印１７と同じように各種の公知の印材を用いることができ、接着剤や熱融着などの方法によって下端に接着し、一体化している。
【０００８】
本願の第１の発明は次のように組み立てられ使用する。
まず、リブ１２ａとリブ１２ｂの間に突起８が位置するようにホルダー９の小筒部１０をリング３の小孔５を通して握り２に圧入嵌合し、本体１とする。
次に、所用の文字の印面をスティック印２１下端に接着した後、年、月、日のスティック印は連結しておく。そして、所用の文字又は図柄のマスター印１７を印受１６の下端に接着し、更に印受１６の内部に設けた印判保持部１８に連結したスティック印と時間用スティック印をセットし印判部１５とする。
次に、突起８をリブ１２ａ側に位置させ、基本状態としておいて、ホルダー９の凸部１４と印受１６の切込１９の位置を合わせながら、係合片２０を係合溝６の縦溝に挿入する。
次に、係合片２０が縦溝の端に当たって止まった地点でリング３を反時計回りに回転させる。そうすると、係合片２０が横溝を移動する。
その後、係合片２０が横溝を端に当たると共に突起８がリブ１２ｂに当接し、回転が停止する。それと同時に嵌合突起１３が溝７にはまり込みロックが終了したことを使用者に認知させる。
使用者は、このロック状態にした後、本願発明の日付印を使用する。この時、印材にインキを内蔵させた多孔性印材を使用した場合は、このまま使用できるが、非多孔性印材を使用した場合はスタンプ台のインキを転写して使用する。スティック印２１を交換するときは、セット時と全く逆の行程を行なえばよく、リング３を時計回りに回転させると係合片２０が横溝と縦溝の交点に当たると共に突起８がリブ１２ａに当接して回転が停止し、それと同時に嵌合突起１３が溝７にはまり込みロック解除が終了したことを使用者に認知させる。
その後、印判部１５を引き抜いてスティック印２１を交換する。
【０００９】
当該第１の発明は、係合片をリングの内面へ設け、係合溝を印受の外面に設けても前記日付印と同様の操作で、同一の効果を有する日付印を得ることができる。本発明の各部材は、ＡＢＳ、ユリアなどのプラスチックス製、木製、金属製など材質を選ぶことなく、各種のものが使用できる。
【００１０】
次に、本願の第２の発明を実施例２（図９）をもって詳細に説明する。但し、実施例１と同一の箇所は省略する。
１’は本体であって、下端を凹部に形成した握り２’と回転部材９’とから構成されている。
握り２’は、捺印操作を行なう際、手で握って保持する部材であるので、握り易いよう直径２〜５ｃｍほどの円柱としてあり、その下端は凹状に形成して凹部３’とし、凹部３’の内面には係合溝６’が設けてある。係合溝６’は、下端を開放した状態で下端から上端に向かって縦溝を設置し、縦溝の終点から周方向へ向かって横溝としてある。また、本実施例において、係合溝６’は左右対称位置に２箇所設けてあるが、２以上の複数設けても構わない。
回転部材９’は、上部を回転部１０’、下部を当接部１１’としたものであり、回転部１０’を前記握り２’内部に設けた溝にはめ込み、回転自在になるような構成となっている。しかし、回転部材が回転自在になるような構成とするならば、例えば釘で打ちつけたような構成にしても、全く問題はない。
１５’は印判部であって、実施例１と同じ構成をしている。
【００１１】
本願の第２の発明は次のように組み立てられ使用する。
まず、回転部材９’の回転部１０’を前記握り２’内部に設けた溝にはめ込み、回転部材９’が凹部３’の上端面に回転自在に位置するようにし、本体１とする。次に、スティック印を印判部１５’にセットした後、係合片２０’を係合溝６’の縦溝に挿入する。
係合片２０’が縦溝の端に当たって止まった地点で印判部１５’を反時計回りに回転させる。そうすると、係合片２０’が横溝を移動し、その後、係合片２０’が横溝を端に当たって回転が停止し、ロック状態となる。
使用者は、このロック状態にした後、本願発明の日付印を使用する。この時、印材にインキを内蔵させた多孔性印材を使用した場合は、このまま使用できるが、非多孔性印材を使用した場合はスタンプ台のインキを転写して使用する。
スティック印を交換するときは、セット時と全く逆の行程を行なえばよく、印判部１５’を時計回りに回転させると係合片２０’が横溝と縦溝の交点に当たって回転が停止し、その後印判部１５’を引き抜いてスティック印を交換する。
【００１２】
当該第２の発明は、係合片を凹部の内面へ設け、係合溝を印受の外面に設けても前記日付印と同時の操作で、同一の効果を有する日付印を得ることができる。本発明の各部材は、ＡＢＳ、ユリアなどのプラスチックス製、木製、金属製など材質を選ぶことなく、各種のものが使用できる。
【００１３】
【効果】
本願発明は、簡単な回転操作で握りと印判部を着脱自在とでき、かつ、第１の発明ではスティック印の頭部はホルダーに当接しておりリングと共には回転しないため、第２の発明ではスティック印の頭部は回転部材に当接しているので印判部の回転と共に回転部材も回転するため、スティック印の頭部が擦れず頭部の印刷が消えることがなく、スティック印の印面が斜めになることもない。
【００１４】
【図面の簡単な説明】
【図１】      実施例１の分解斜視図
【図２】      ホルダーの斜視図
【図３】      リングの斜視図
【図４】      実施例１の断面図
【図５】      Ａ−Ａ断面図
【図６】      Ｂ−Ｂ断面図（基本状態）
【図７】      Ｂ−Ｂ断面図（ロック状態）
【図８】      Ｃ−Ｃ断面一部拡大図
【図９】      実施例２の断面図
【符号の説明】
１、１’  本体
２、２’  握り
３    リング
３’  凹部
４    上端面
５    小孔
６、６’  係合溝
７    溝
８    突起
９    ホルダー
９’  回転部
１０    小筒部
１０’  回転部材
１１    筒部
１１’  当接部
１２（ａ、ｂ）  リブ
１３    嵌合突起
１４    凸部
１５、１５’  印判部
１６    印受
１７    マスター印
１８    印判保持部
１９    切込
２０、２０’  係合片
２１          スティック印
２２          抜止突起
【図１】
0003688769.tif 000002
【図２】
0003688769.tif 000003
【図３】
0003688769.tif 000004
【図４】
0003688769.tif 000005
【図５】
0003688769.tif 000006
【図６】
0003688769.tif 000007
【図７】
0003688769.tif 000008
【図８】
0003688769.tif 000009
【図９】
0003688769.tif 000010